(57)【要約】      （修正有）【課題】金属粉末からなる粉末層に光ビームを照射して焼結層を形成すると共に、前記焼結層を積層することで三次元形状造形物を得る金属光造形において、造形物の表面に付着した不要な金属粉末の切削除去に際して、切削抵抗を小さくし、切削工具の寿命を延ばす。【解決手段】鉄系粉末と、ニッケル、ニッケル系合金、銅、銅系合金および黒鉛からなる群から選ばれる１種類以上の粉末とを含んで成り、鉄系粉末が焼き鈍し処理されて軟らかくなっている金属粉末を使用する。【選択図】図１
2008081840.tif 000002
【特許請求の範囲】
【請求項１】
金属粉末からなる粉末層に光ビームを照射して焼結層を形成すると共に、前記焼結層を積層することで三次元形状造形物を得る金属光造形に用いられる金属光造形用金属粉末であって、
前記金属粉末は、鉄系粉末と、ニッケル、ニッケル系合金、銅、銅系合金、及び黒鉛から成る群から選ばれる１種類以上の粉末とを含んで成り、
前記鉄系粉末が焼き鈍し処理されていることを特徴とする金属光造形用金属粉末。
【請求項２】
前記金属粉末が、鉄系粉末と、ニッケル及びニッケル系合金粉末の両方又はいずれか一方と、銅及び銅系合金粉末の両方又はいずれか一方と、黒鉛粉末とを含んで成ることを特徴とする請求項１に記載の金属光造形用金属粉末。
【請求項３】
前記鉄系粉末が、減圧下、真空下または不活性雰囲気下において、６００〜７００℃の温度に保持された後に徐冷されることによって焼き鈍し処理されていることを特徴とする請求項１又は請求項２に記載の金属光造形用金属粉末。
【請求項４】
前記鉄系粉末の平均粒子径が５〜５０μｍであることを特徴とする請求項３に記載の金属光造形用金属粉末。
【請求項５】
前記焼き鈍し処理される前記鉄系粉末がアトマイズ粉末であることを特徴とする請求項１乃至請求項４のいずれか一項に記載の金属光造形用金属粉末。
【請求項６】
請求項１乃至請求項５のいずれか一項に記載の金属光造形用金属粉末からなる粉末層に光ビームを照射して焼結層を形成する工程と、前記焼結層の積層により形成した造形物の表面部及び不要部分の両方又はいずれか一方の切削除去を行う工程と、を繰り返すことにより三次元形状造形物を得る金属光造形法。
【発明の詳細な説明】
【技術分野】
【０００１】
本発明は、金属光造形に用いる金属粉末に関する。より詳細には、本発明は、光ビームを照射して三次元形状造形物を得る金属光造形に用いられる金属粉末に関する。
【背景技術】
【０００２】
従来から、（１）金属粉末から成る粉末層に光ビーム（例えばレーザ光のような指向性エネルギービーム）を照射して焼結層を形成し、（２）得られた焼結層の上に新たな粉末層を敷いて光ビームを照射して更に焼結層を形成する、ことを繰り返して三次元形状造形物を製造する金属光造形技術が知られている。この技術によれば、複雑な三次元形状造形物を短時間で製造することができる。特に、エネルギー密度の高い光ビームを照射することにより金属粉末を完全に溶融させた後に固化させることによって、焼結密度をほぼ１００％の状態にできる。この高密度の造形物は、その表面を仕上げ加工して滑らかな面とすることにより、プラスチック成形用金型などに適用することができる。
【０００３】
しかし、このような金属光造形の原料として用いられる金属粉末は、圧縮成形してから焼結するような他の粉末焼結に用いられる金属粉末とは異なった特性が必要である。
【０００４】
例えば、金属粉末の粒子径は、光ビームが照射される粉末層の厚みよりも小さくする必要がある。粒子径が小さいと、粉末の充填密度が高くなり、造形時の光ビーム吸収率も良いので焼結密度を高くすることができると共に、得られる造形物の表面粗さを小さくすることができる。その一方で、粒子径が小さすぎると、金属粉末の凝集が引き起こされ、粉末の充填密度は小さくなり、粉末層を薄く均一に敷けなくなってしまう。
【０００５】
造形物の強度を高くするためには、形成する新たな焼結層と、その下層にある固化している焼結層との接合面積が広く、かつ、その密着強度が高くなければならないと同時に、隣接する固化している焼結層との接合面積も広く、密着強度が高い必要がある。
【０００６】
また、新たな焼結層の上面があまり大きく盛り上がってはならない。盛り上がり量が粉末層の厚み以上となると、次の粉末層を敷く際に障害となり、かかる次の粉末層の形成そのものが困難となってしまう。
【０００７】
ここで、金属光造形に際して光ビームが照射された金属粉末は、その一部又は全部が一旦溶融し、その後急冷凝固されて焼結層となるが、この溶融した時の濡れ性が大きいと、隣接する焼結層との接合面積が大きくなり、流動性が大きければ盛り上がりが小さくなる。従って、溶融した時の流動性が大きく、かつ、濡れ性も大きい金属粉末が望まれる。
【０００８】
また、金属光造形で製造される三次元形状造形物は、その造形物表面に金属粉末が付着して表面粗さを悪くし得る。従って、この三次元形状造形物を高精度なプラスチック射出成形金型等として使用するためには、造形物表面に付着した金属粉末を除去しなければならず、切削用工具などを用いて切削仕上げ等の加工を行う必要がある。硬度の高い鉄系粉末が配合された金属粉末を用いて金属光造形を実施した場合、この鉄系粉末に起因して、切削加工時に切削用工具の刃先が磨耗してしまう。特に細い溝を有する形状を切削加工する場合、小径工具で行わなければならず、工具の磨耗が引き起こされ、場合によっては刃先欠け（チッピング）や工具折れが生じてしまう。従って、切削仕上げ等の加工を行う時の加工性が良くなる金属粉末が望まれる。
【０００９】
また、得られた三次元形状造形物の外観に大きな割れが存在してはならない。特に、三次元形状造形物を射出成形金型として用いる場合、その内部に流体（冷却水）を流すことなどを考慮すると、造形物の内部組織にマイクロクラックが無いことが望まれる。
【００１０】
このような事情に鑑み、本出願人は特許文献１に示されるように、鉄系粉末（クロムモリブデン鋼、合金工具鋼）と、ニッケル、ニッケル系合金、銅、及び銅系合金からなる群から選ばれる１種類以上の非鉄系粉末とを含む金属光造形用金属粉末を提案している。また、本出願人は、特許文献２に示されるように、鉄系粉末（クロムモリブデン鋼）と、ニッケルまたは及びニッケル系合金の粉末と、銅または及び銅系合金の粉末と黒鉛粉末からなる金属光造形用の混合粉末も提案している。クロムモリブデン鋼等は、その強度や靭性の点から用いている。銅及び銅系合金粉末は濡れ性及び流動性の点から用いている。また、ニッケル及びニッケル系合金粉末は強度及び加工性の点から用いている。更に、黒鉛粉末は光ビームの吸収率及びマイクロクラック低減の点から用いている。
【００１１】
しかしながら、これら特許文献１及び特許文献２に示されるような金属光造形用金属粉末であっても、金属光造形で得られる造形物の表面に硬い鉄系粉末が付着することに起因して、切削による表面仕上げ時に切削抵抗が大きくなり工具寿命が短くなってしまう問題があり、その一方で、工具寿命を長くしようとすれば、切削速度を遅くしなければならず、加工に時間がかかってしまうという問題があった。
【特許文献１】特開２００１−１５２２０４号公報
【特許文献２】特開２００４−２７７８７７号公報
【発明の開示】
【発明が解決しようとする課題】
【００１２】
本発明は、上記の問題を解決するためになされたものである。即ち、本発明の目的は、造形物の表面に付着した不要な金属粉末を切削除去するに際して、その切削抵抗を小さくでき、用いられる切削工具の寿命を延ばすことを可能にする金属光造形用金属粉末を提供することである。
【課題を解決するための手段】
【００１３】
上記目的を達成するために、本発明では、金属粉末からなる粉末層に光ビームを照射して焼結層を形成すると共に、前記焼結層を積層することで三次元形状造形物を得る金属光造形に用いられる金属光造形用金属粉末であって、前記金属粉末は、鉄系粉末と、ニッケル、ニッケル系合金、銅、銅系合金、及び黒鉛から成る群から選ばれる１種類以上の粉末とを含んで成り、前記鉄系粉末が焼き鈍し処理されていることを特徴とする金属光造形用金属粉末が提供される。本発明の金属光造形用金属粉末は、鉄系粉末が焼き鈍し処理されて軟らかくなっていることを特徴の１つとしている。尚、本明細書で用いる「焼き鈍し処理」とは、鉄系粉末を或る温度に加熱して適当な時間保った後、冷却（好ましくはゆっくりと冷却）する処理を一般に指しており、「焼鈍（しょうどん）」または「アニーリング」とも呼ぶことができるものである。
【００１４】
本発明の金属光造形用金属粉末において、鉄系粉末と、ニッケル、ニッケル系合金、銅、銅系合金、及び黒鉛から成る群から選ばれる１種類以上の粉末とは混合（好ましくは均一に混合）されて成ることが好ましい。また、本発明の金属光造形用金属粉末において、金属粉末は、鉄系粉末と、ニッケル及びニッケル系合金粉末の両方又はいずれか一方と、銅及び銅系合金粉末の両方又はいずれか一方と、黒鉛粉末とを含んで成ることが好ましい。
【００１５】
ある好適な態様において、鉄系粉末は、減圧下、真空下または不活性雰囲気下において、６００〜７００℃の温度に保持された後に徐冷または冷却することによって焼き鈍しされている。この場合、鉄系粉末の平均粒子径が５〜５０μｍであることが好ましい。
【００１６】
焼き鈍し処理される鉄系粉末はアトマイズ粉末（噴霧粉末）であってよい。即ち、焼き鈍し処理される鉄系粉末がアトマイズ法（例えば水アトマイズ法）で製造された粉末であってよい。
【００１７】
本発明では、上述の金属光造形用金属粉末を用いた金属光造形法も提供される。かかる本発明の金属光造形法は、上述の金属光造形用金属粉末からなる粉末層に光ビームを照射して焼結層を形成する工程と、前記焼結層の積層により形成した造形物の表面部及び不要部分の両方又はいずれか一方の切削除去を行う工程と、を繰り返すことにより三次元形状造形物を得る方法である。
【発明の効果】
【００１８】
本発明の金属光造形用金属粉末では、鉄系粉末が焼き鈍し処理されて軟らかくなっているので、金属光造形で得られた造形物表面に付着する金属粉末に起因する切削抵抗が小さくなる。つまり、造形物の表面に付着した不要な金属粉末の切削除去に際して、その切削抵抗を小さくできるので、用いられる切削工具の寿命を延ばすことができる。尚、ここでいう「切削工具」とは、金属光造形に用いられる一般的な切削工具のことを指している。
【００１９】
特に、金属粉末が、鉄系粉末と、ニッケル及びニッケル系合金粉末の両方又はいずれか一方と、銅及び銅系合金粉末の両方又はいずれか一方と、黒鉛粉末とを含んで成る場合では、得られる三次元形状造形物の焼結密度が高密度となり得る。
【００２０】
鉄系粉末（好ましくは平均粒子径が５〜５０μｍ）が、減圧下、真空下または不活性雰囲気下において、６００〜７００℃の温度に保持された後に徐冷または冷却されることによって焼き鈍し処理されている場合、鉄系粉末同士が焼き鈍し処理に際して融着しないので、金属光造形用の金属粉末として特に好適に用いることができる。
【００２１】
また、本発明では、鉄系粉末が比較的硬いアトマイズ粉末であっても、かかる粉末を焼き鈍し処理して用いるので、結果的に軟らかくされ、金属光造形で得られた造形物表面に付着する金属粉末に起因する切削抵抗を小さくすることができる。つまり、比較的硬いアトマイズ粉末を金属光造形の原料として用いる場合であっても、造形物の表面に付着した不要な金属粉末の切削除去に際して、用いられる切削工具の寿命を延ばすことができる。
【発明を実施するための最良の形態】
【００２２】
以下では、図面を参照にして本発明をより詳細に説明する。まず、本発明の金属光造形用金属粉末が使用される金属光造形複合加工について説明し、その後、本発明の金属光造形用金属粉末の説明を行う。
【００２３】
［金属光造形用金属粉末が使用される金属光造形複合加工］
本発明の金属光造形用金属粉末を使用して金属光造形法が実施される金属光造形複合加工について図１を参照して説明する。図１は、金属光造形複合加工を行なう金属光造形複合加工機１の構成を示す。金属光造形複合加工機１は、金属粉末を所定の厚みの層に敷く粉末層形成手段２と、光ビームＬを発し、光ビームＬを任意の位置に照射する焼結層形成手段３と、造形物の周囲を削る除去手段４とを備えている。粉末層形成手段２は、上下に昇降する昇降テーブル２０と、昇降テーブル２０の上に配され造形物の土台となる造形用ベース（図３に示す）と、造形用ベースに金属粉末の粉末層２２を敷くスキージング用ブレード２３とを有している。焼結層形成手段３は、光ビームＬ（指向性エネルギービーム、例えばレーザー）を発する光ビーム発信器３０と、光ビームＬを粉末層２２の上にスキャニングするガルバノミラー３１とを有している。除去手段４は、造形物の周囲を削るミーリングヘッド４０と、ミーリングヘッド４０を切削箇所に移動させるＸＹ駆動機構４１とを有している。
【００２４】
金属光造形複合加工機１の動作を図２及び図３を参照して説明する。図２は、金属光造形複合加工機１の動作のフローを示し、図３は、金属光造形複合加工機１の動作を示す。
【００２５】
金属光造形複合加工機１の動作は、金属粉末を敷く粉末層形成ステップ（Ｓ１）と、粉末層２２に光ビームＬを照射して焼結層２４を形成する焼結層形成ステップ（Ｓ２）と、造形物の表面を切削する除去ステップ（Ｓ３）とから構成されている。粉末層形成ステップ（Ｓ１）では、最初に昇降テーブル２０を矢印Ｚ方向にΔｔ１下げる（Ｓ１１）。造形用ベース２１に金属粉末を供給し（Ｓ１２）、スキージング用ブレード２３を、矢印Ａ方向に移動させ、供給された金属粉末を造形用ベース２１上にならして、所定厚み矢印Δｔ１の粉末層２２を形成する（Ｓ１３）。次に、焼結層形成ステップ（Ｓ２）に移行し、光ビーム発信器３０から光ビームＬを発し（Ｓ２１）、光ビームＬをガルバノミラー３１によって粉末層２２上の任意の位置にスキャニングし（Ｓ２２）、金属粉末を溶融し、焼結させて造形用ベース２１と一体化した焼結層２４を形成する（Ｓ２３）。
【００２６】
焼結層２４の厚みがミーリングヘッド４０の工具長さ等から求めた所定の厚みになるまで粉末層形成ステップ（Ｓ１）と焼結層形成ステップ（Ｓ２）とを繰り返し、焼結層２４を積層する。
【００２７】
そして、積層した焼結層２４の厚みが所定の厚みになると、除去ステップ（Ｓ３）に移行し、ミーリングヘッド４０を駆動させる（Ｓ３１）。ＸＹ駆動機構４１によってミーリングヘッド４０を矢印Ｘ及び矢印Ｙ方向に移動させ、焼結層２４が積層した造形物の表面を切削する（Ｓ３２）。そして、三次元形状造形物の造形が終了していない場合では、粉末層形成ステップ（Ｓ１）へ戻る。こうして、Ｓ１乃至Ｓ３を繰り返して更なる焼結層２４を積層することで、三次元形状造形物を製造する。
【００２８】
焼結層形成ステップ（Ｓ２）における光ビームＬの照射経路と、除去ステップ（Ｓ３）における切削加工経路は、予め三次元ＣＡＤデータから作成しておく。この時、等高線加工を適用して加工経路を決定する。そして、除去ステップ（Ｓ３）に移行する焼結層２４の厚みは、造形物の形状に応じて変動させる。造形物の形状が傾斜しているときは所定の厚みより薄い時点において、除去ステップ（Ｓ３）に移行することで、滑らかな表面を得ることができる。
【００２９】
［金属光造形用金属粉末］
次に、本発明の金属光造形用金属粉末について説明する。本発明の金属光造形用金属粉末は、鉄系粉末と、ニッケル、ニッケル系合金、銅、銅系合金、及び黒鉛から成る群から選ばれる１種類以上の粉末とを含んで成る。
【００３０】
鉄系粉末としては、特に制限されるわけではないが、クロムモリブデン鋼粉末、炭素工具鋼粉末、ダイス鋼粉末、高速度工具鋼粉末などを挙げることができる。炭素含有量の多い鉄系粉末は、急冷によりマルテンサイト組織になって硬度が高くなり、焼き戻しにより硬度が低下する。鉄系粉末がクロムモリブデン鋼粉末または工具鋼の粉末である場合には、表面の切削性が良好となるだけでなく、得られる造形物が高強度・高硬度となり得る。かかる鉄系粉末の個々の粒子の形状は特に制限はなく、例えば、球形状、楕円体形状または多面体形状（例えば立方体形状）等であってよい。かかる鉄系粉末の平均粒子径は、好ましくは２〜１００μｍ、より好ましくは５〜５０μｍ、更に好ましくは１０〜３０μｍである（尚、平均粒子径が５μｍよりも小さいと凝集が生じやすくなる。また、金属光造形に際して形成される粉末層の厚みは一般的には約５０μｍ程度である）。ここで、「粒子径」とは、粒子のあらゆる方向における長さのうち最大となる長さを実質的に意味しており、「平均粒子径」とは、粒子の電子顕微鏡写真または光学顕微鏡写真に基づいてある個数の粒子の粒子径を測定し、その数平均として算出したものを実質的に意味している。
【００３１】
かかる鉄系粉末は、後述で詳細に説明するように焼き鈍し処理に付して用い、軟らかくされるので、鉄系粉末がアトマイズ法（例えば水アトマイズ法）で製造された比較的硬いアトマイズ粉末であってもよい。
【００３２】
「ニッケル、ニッケル系合金、銅、銅系合金、及び黒鉛から成る群から選ばれる１種類以上の粉末」における「ニッケル系合金」としては、制限するわけではないが、ニッケルと、シリコン、ボロンおよびモリブデンからなる群から選ばれる少なくとも１種類の金属とから成る合金が挙げられる。同様に、「銅系合金」としては、制限するわけではないが、銅と、マンガン、リンおよびスズからなる群から選ばれる少なくとも１種類の金属とから成る合金が挙げられる。「鉄系粉末」と同様、かかる粉末の個々の粒子の形状も特に制限はなく、例えば、球形状、楕円体形状または多面体形状（例えば立方体形状）等であってよい。また、「鉄系粉末」と同様、「ニッケル」、「ニッケル系合金」、「銅」、「銅系合金」および／または「黒鉛」の平均粒子径は、好ましくは２〜１００μｍ、より好ましくは５〜５０μｍ、更に好ましくは１０〜３０μｍである。ここでいう「粒子径」も、粒子のあらゆる方向における長さのうち最大となる長さを実質的に意味しており、「平均粒子径」とは、粒子の電子顕微鏡写真または光学顕微鏡写真に基づいてある個数の粒子の粒子径を測定し、その数平均として算出したものを実質的に意味している。
【００３３】
「鉄系粉末」および「ニッケル、ニッケル系合金、銅、銅系合金、及び黒鉛から成る群から選ばれる１種類以上の粉末」の製造法は、特に制限はなく、一般的な粉末製造法、例えば、アトマイズ法（ガスアトマイズ法、水アトマイズ法、遠心力アトマイズ法、プラズマアトマイズ法など）、回転電極法（ＲＥＰ法）、機械的プロセス（例えば粉砕法、メカニカルアロイング法など）、化学的プロセス（酸化物還元法、塩化物還元法など）を用いることができる。また、当然のことながら、かかる製造法で予め製造された市販の粉末をそのまま用いてもよい。
【００３４】
焼き鈍し処理に起因した金属光造形物の表面の切削性の改善の効果は、金属粉末の組成の割合（配合割合）の影響を特に受けないので、本発明の金属粉末に含まれる各種粉末の割合（配合割合）は特に制限はない。ただし一例を挙げると、「鉄系粉末の割合」は、金属光造形用金属粉末を基準として、好ましくは４０〜９５重量％、より好ましくは６０〜９０重量％であり、「ニッケル、ニッケル系合金、銅、銅系合金、及び黒鉛から成る群から選ばれる１種類以上の粉末の割合」は、金属光造形用金属粉末を基準として、好ましくは５〜６０重量％、より好ましくは１０〜４０重量％である。
【００３５】
金属粉末が、本願発明に従って、鉄系粉末と、ニッケル、ニッケル系合金、銅、銅系合金、及び黒鉛からなる群から選ばれる１種類以上の粉末とが混合されたものであれば、金属光造形物は、表面の切削性が良好となる他に、強度等においても良好となるが、ここで「ニッケル、ニッケル系合金、銅、銅系合金、及び黒鉛から成る群から選ばれる１種類以上の粉末」が「ニッケル及びニッケル系合金粉末の両方又はいずれか一方と、銅及び銅系合金粉末の両方又はいずれか一方と、黒鉛粉末とから成る粉末」である場合には、特に金属光造形物の密度が高密度となる効果も付加的に奏されることになる。例えば、鉄系粉末の配合量が６０〜９０重量％、ニッケル及びニッケル系合金の両方又はいずれか一方の粉末の配合量が５〜３５重量％、銅及び銅系合金の両方又はいずれか一方の粉末の配合量が５〜１５重量％、黒鉛粉末の配合量が０．２〜０．８重量％である金属粉末では、表面の切削性が良好であるだけでなく、内部にマイクロクラックが無い造形物をつくることができる。
【００３６】
本発明では、鉄系粉末が焼き鈍し処理されている。つまり、鉄系粉末を或る温度に加熱して適当な時間保った後、冷却（好ましくはゆっくりと冷却）する処理が施されている。これにより、鉄系粉末が軟らかくなるので、金属光造形で得られる造形物表面に付着する金属粉末に起因する切削抵抗を小さくできるという効果、つまり、表面の切削性が良好となり、用いられる切削工具（例えば、超硬合金、高速度工具鋼および／またはｃＢＮ等の材質から成る切削工具）の寿命が延びる効果が奏される。例えば、鉄系粉末が焼き鈍し処理されている場合は、鉄系粉末が焼き鈍し処理されていない場合の１．２〜２．０倍程度（例えば約１．５倍）切削工具の寿命が延びる。焼き鈍し処理において加熱される温度は、好ましくは５８０℃〜７８０℃、より好ましくは５９０〜７４０℃、更に好ましくは６００℃〜７００℃である。加熱後に保持される時間は、好ましくは０．５〜１０時間、より好ましくは１〜２時間である。加熱時間が長すぎると過熱中に粉末が焼結されてかたまってしまう。一方、短すぎると焼き鈍し効果が小さい。冷却または徐冷では、上記温度にまで加熱した鉄系粉末を、２５℃程度までゆっくり降温させる。かかる冷却または徐冷は、無加熱状態下の自然放置によって行うのが望ましい。尚、かかる焼き鈍し処理は、減圧下、真空下または不活性雰囲気下で行うことが好ましい。ここでいう「減圧下」とは、大気圧よりも低い圧力下のことを実質的に意味し、「真空下」とは、実質的に真空状態とみなせる雰囲気または常套の真空デバイスを用いて作り出される雰囲気（例えば約１００Ｐａの圧力雰囲気下）のことを意味している。「不活性雰囲気下」としては、特に制限されるわけではないが、「アルゴンガス雰囲気」または「窒素ガス雰囲気」が好ましい。尚、これらを組み合せた態様、例えば、不活性雰囲気の減圧下であってもかまわない。
【００３７】
以上、本発明の実施形態について説明してきたが、本発明はこれに限定されず、種々の改変がなされ得ることは当業者には容易に理解されよう。例えば、本発明の金属粉末を金属光造形複合加工機に用いる例を説明したが（即ち、焼結層の形成工程と切削工程とを繰り返して行って三次元形状造形物を得ている例であるが）、金属光造形により三次元形状造形物の全体を製造してから、造形物の表面を切削加工する金属光造形に対して本発明の金属粉末を用いてもよい。
【００３８】
尚、上述した本発明は、次の態様を包含することに留意されたい：
第１の態様：  金属粉末からなる粉末層に光ビームを照射して焼結層を形成すると共に、前記焼結層を積層することで三次元形状造形物を得る金属光造形に用いられる金属光造形用金属粉末であって、
鉄系粉末と、ニッケル、ニッケル系合金、銅、銅系合金、及び黒鉛から成る群から選ばれる少なくとも１種類以上の粉末とを含んで成り、
前記鉄系粉末が焼き鈍し処理されていることを特徴とする金属光造形用金属粉末。
第２の態様：  上記第１の態様において、鉄系粉末と、ニッケル、ニッケル系合金、銅、銅系合金、及び黒鉛から成る群から選ばれる少なくとも１種類以上の粉末とが前記金属粉末にて混合されて成ることを特徴とする金属光造形用金属粉末。
第３の態様：  上記第１または第２の態様において、鉄系粉末と、ニッケル及びニッケル系合金粉末の両方又はいずれか一方と、銅及び銅系合金粉末の両方又はいずれか一方と、黒鉛粉末とを含んで成ることを特徴とする金属光造形用金属粉末。
第４の態様：  上記第１〜第３の態様のいずれかにおいて、前記鉄系粉末が、減圧下、真空下または不活性雰囲気下において、６００〜７００℃の温度に保持された後に徐冷されることによって焼き鈍し処理されていることを特徴とする金属光造形用金属粉末。
第５の態様：  上記第４の態様において、前記鉄系粉末の平均粒子径が５〜５０μｍであることを特徴とする金属光造形用金属粉末。
第６の態様：  上記第１〜第５の態様のいずれかにおいて、前記焼き鈍し処理される前記鉄系粉末がアトマイズ粉末であることを特徴とする金属光造形用金属粉末。
第７の態様：上記第１〜第６の態様のいずれかの金属光造形用金属粉末からなる粉末層に光ビームを照射して焼結層を形成する工程と、前記焼結層の積層により形成した造形物の表面部及び不要部分の両方又はいずれか一方の切削除去を行う工程と、を繰り返すことにより三次元形状造形物を得る金属光造形法。
【実施例】
【００３９】
金属光造形用金属粉末に含まれる鉄系粉末の焼き鈍し処理を行なった。鉄系粉末は、熱処理を行うと、粉末の最表面が活性化された状態となり、接触している部分は、より安定な形状に、すなわち、表面積を小さくなる方向に金属原子が移動を行い、粉末同士が一体となる焼結が起きる。粉末粒径が細かくなるほど粉末の表面積が増え、粉末同士の接触面積も増えるため、低温で焼結が進行することとなる。また、熱処理温度が高いほど、焼結は起き易くなる。従って、多くの接触面積を有した粉末同士を一度に焼き鈍し処理をする場合、その焼き鈍し温度は、通常の溶製材の焼き鈍し温度よりも低温で行う必要があり、焼き鈍し処理条件を検討した。
【００４０】
焼き鈍し処理条件の検討は、鉄系粉末として平均粒子径２０μｍのクロムモリブデン鋼（ＳＣＭ４４０）粉末を用いて、焼き鈍し温度と雰囲気条件を変えて行なった。検討に用いたクロムモリブデン鋼粉末は、大量生産が可能な水アトマイズ法で作られており、粉末製作過程の冷却速度が非常に速いため焼入れされた組織となっており、非常に硬い粉末となっていた。
【００４１】
このクロムモリブデン鋼粉末を、ステンレスパレットに敷き詰め、１０００℃、８００℃、６５０℃の温度条件で焼鈍炉にて焼き鈍し処理を行った。雰囲気は、大気中と真空中（約１００Ｐａ）と還元雰囲気中で行なった。その結果、１０００℃、８００℃のものは隣接する粉末同士が融着した状態となり、その粉末を元の粉末に分離するのが困難であった。１０００℃で処理した粉末について、特にその現象が激しかった。６５０℃で処理したものについては、多少は粉末同士が融着していたが、ふるい上ですり潰すことにより、元の粉末状態に戻った。
【００４２】
鉄は、５８０℃以下の温度では余り焼き鈍されないことと、上述の結果から、鉄系粉末の焼き鈍し処理の最適な温度範囲は、６００〜７００℃と判断することができた。
【００４３】
また、焼き鈍し処理時の雰囲気については、６５０℃の焼き鈍し温度において、真空中で熱処理したものは良好であったが、大気中で熱処理したものは粉末の表面酸化が激しく、また、還元雰囲気中で熱処理したものは、隣接する粉末同士がくっついて使用不可能であった。このことから、焼き鈍し処理の雰囲気としては、鉄系粉末が雰囲気と反応しない真空下や減圧下、又は、例えばアルゴンガスや窒素ガスのような不活性雰囲気下が適すると判断できた。
【００４４】
次に、上述のように真空中において６５０℃で焼き鈍し処理したクロムモリブデン鋼粉末を配合した金属光造形用金属粉末と、焼き鈍し処理をしていないクロムモリブデン鋼粉末を配合した金属光造形用金属粉末とを図１に示すような金属光造形複合加工機１（例えば松浦機械製作所製、型式ＬＵＭＥＸ２５Ｃ）に用いて、造形物表面の切削性の比較をした。用いた金属粉末は、上述のクロムモリブデン鋼粉末に、平均粒子径が３０μｍのニッケル（Ｎｉ）粉末と、平均粒子径が３０μｍの銅マンガン合金（ＣｕＭｎＮｉ）粉末と、フレーク状黒鉛（Ｃ）粉末とを混合して作成した。組成は、７０重量％ＳＣＭ４４０−２０重量％Ｎｉ−９重量％ＣｕＭｎＮｉ−０．３重量％Ｃであった。図４には、真空中において６５０℃で焼き鈍し処理したクロムモリブデン鋼粉末のＳＥＭ写真を示し、図５には、ニッケル粉末のＳＥＭ写真を示し、図６には、銅マンガン合金粉末のＳＥＭ写真を示し、図７には、フレーク状黒鉛粉末のＳＥＭ写真を示し、図８には、それらを混合した金属粉末のＳＥＭ写真を示す。
【００４５】
金属光造形複合加工では、光ビームＬは、炭酸ガスレーザを使用し、粉末層２２の厚みΔｔ１は、０．０５ｍｍとした。ミーリングヘッド４０の工具（ボールエンドミル）は直径が０．６ｍｍ（有効刃長１ｍｍ）のものを使用し、１０層の焼結層２４を形成した時点、すなわち、０．５ｍｍの焼結層を形成した時点で除去手段４を作動させた。
【００４６】
切削性の比較の結果、焼き鈍し処理したクロムモリブデン鋼粉末を配合した金属光造形用金属粉末における造形物の切削性は、焼き鈍し処理をしていないクロムモリブデン鋼粉末を配合したものと比較して、工具の切削寿命が約１．５倍になった。この工具の切削寿命の差は、造形物表面に付着しているクロムモリブデン鋼粉末が焼き鈍し処理により軟らかくなったことに起因しているものと考えられる。
【００４７】
以上のように、本発明者らは粒子径が２０μｍの鉄系粉末の焼き鈍し条件を見つけ出し、その条件で焼き鈍しを行った鉄系粉末を含む金属粉末を用いて金属光造形を行うことができた。その結果、高密度でかつ強度や硬度が高い三次元形状造形物を得ることができたのと同時に、表面の切削性においても改善され、工具寿命の向上を図ることができた。
【００４８】
尚、鉄系粉末の焼き鈍し処理の検討は、上述のように、金属粉末の組成の割合を（７０重量％ＳＣＭ４４０−２０重量％Ｎｉ−９重量％ＣｕＭｎＮｉ−０．３重量％Ｃ）にして行なったが、焼き鈍し処理による金属光造形物の表面の切削性の改善の効果は、金属粉末の組成の影響を特に受けないので、鉄系粉末の焼き鈍し処理は、鉄系粉末を配合した全ての金属光造形用金属粉末に効果があるといえる。
【産業上の利用可能性】
【００４９】
本発明の金属光造形用金属粉末を用いて金属光造形法を実施することによって、プラスチック射出成形用金型、プレス金型、ダイカスト金型、鋳造金型、鍛造金型などの三次元形状造形物を製造することができる。
【図面の簡単な説明】
【００５０】
【図１】本発明の金属光造形用金属粉末を用いる金属光造形複合加工機の構成図。
【図２】金属光造形複合加工機の動作（本発明の金属造形法）のフローチャート。
【図３】金属光造形複合加工機の動作を示す図。
【図４】本発明の金属光造形用金属粉末に含まれるクロムモリブデン鋼粉末のＳＥＭ写真。
【図５】本発明の金属光造形用金属粉末に含まれるニッケル粉末のＳＥＭ写真。
【図６】本発明の金属光造形用金属粉末に含まれる銅マンガン合金粉末のＳＥＭ写真。
【図７】本発明の金属光造形用金属粉末に含まれるフレーク状黒鉛粉末のＳＥＭ写真。
【図８】本発明の金属光造形用金属粉末（本発明の金属粉末に含まる粉末成分が混合されたもの）のＳＥＭ写真。
【符号の説明】
【００５１】
１    金属光造形複合加工機
２    粉末層形成手段
３    焼結層形成手段
４    除去手段
２０  昇降テーブル
２１  造形用ベース
２２  粉末層
２３  スキージング用ブレード
２４  焼結層
３０  光ビーム発信器
３１  ガルバノミラー
４０  ミーリングヘッド
４１  ＸＹ駆動機構
Ｌ  光ビーム
【図１】
2008081840.tif 000003
【図２】
2008081840.tif 000004
【図３】
2008081840.tif 000005
【図４】
2008081840.tif 000006
【図５】
2008081840.tif 000007
【図６】
2008081840.tif 000008
【図７】
2008081840.tif 000009
【図８】
2008081840.tif 000010